(57)【要約】【課題】質問文に対する要約として抽出される候補範囲の任意な設定を可能とすること。【解決手段】入力された検索条件に基づいて文書を検索し、入力された要約作成条件に基づいて、検索された文書から要約に相応しい範囲を抽出することによって文書の要約を作成する文書要約作成システムにおいて、入力された範囲設定条件に基づいて、検索された文書内において、要約として抽出される候補範囲を設定する候補範囲設定部３５を備え、要約に相応しい箇所を抽出する場合には、候補範囲設定部３５によって設定された候補範囲の何れかから抽出する。【選択図】      図３
2006099428.tif 000002
【特許請求の範囲】
【請求項１】
入力された検索条件に基づいて文書を検索し、入力された要約作成条件に基づいて、前記検索された文書から要約に相応しい範囲を抽出することによって前記文書の要約を作成する文書要約作成システムにおいて、
入力された範囲設定条件に基づいて、前記検索された文書内において、前記要約として抽出される候補範囲を設定する候補範囲設定手段を備え、
前記要約に相応しい箇所を抽出する場合には、前記候補範囲設定手段によって設定された候補範囲の何れかから抽出するようにした文書要約作成システム。
【請求項２】
請求項１に記載の文書要約作成システムにおいて、
前記範囲設定条件は、前記検索する文書を限定する限定条件、および前記候補範囲の書式条件のうちの少なくとも何れかを含む文書要約作成システム。
【請求項３】
請求項１または請求項２に記載の文書要約作成システムにおいて、
前記範囲設定条件の入力を受け付ける対話型入力受付手段を更に備えた文書要約作成システム。
【請求項４】
入力手段から入力された検索条件に基づいて文書を検索し、前記入力手段から入力された要約作成条件に基づいて、前記検索された文書から要約に相応しい範囲を抽出することによって前記文書の要約を作成する文書要約作成方法において、
前記入力手段から入力された範囲設定条件に基づいて、前記検索された文書内において、前記要約として抽出される候補範囲を設定し、
前記要約に相応しい箇所を抽出する場合には、前記設定された候補範囲の何れかから抽出するようにした文書要約作成方法。
【請求項５】
請求項４に記載の文書要約作成方法において、
前記範囲設定条件は、前記検索する文書を限定する限定条件、および前記候補範囲の書式条件のうちの少なくとも何れかを含む文書要約作成方法。
【請求項６】
請求項４または請求項５に記載の文書要約作成方法において、
対話型入力受付手段を用いて前記範囲設定条件の入力を受け付けるようにした文書要約作成方法。
【請求項７】
入力された検索条件に基づいて、データベースに予め蓄積された文書の中から、前記検索条件を満足する文書を検索する機能、
入力された範囲設定条件に基づいて、前記検索された文書内において、前記文書の要約として抽出される候補範囲を設定する機能、
入力された要約作成条件に基づいて、前記設定された候補範囲の中から、前記文書の要約に相応しい範囲を抽出する機能
をコンピュータに実現させるためのプログラム。
【発明の詳細な説明】
【技術分野】
【０００１】
本発明は、質問文の内容に基づいて、要約に相応しい範囲を文書から抽出することによって要約を作成する技術に適用されるものであって、特に、要約として抽出される候補となる候補範囲を調整することが可能な文書要約作成システム、方法、及びプログラムに関する。
【背景技術】
【０００２】
従来、自然言語による質問文の内容に基づいて、要約として相応しい範囲を文書から抽出することによって要約を作成する文書要約作成システムでは、具体的に以下に示すような手順にしたがって要約が作成されている（例えば、特許文献１参照）。
【０００３】
すなわち、まず、自然言語による質問文が形態素解析され、単語に分割される。さらに、分割された各単語に対して、辞書データと比較されることによって意味解析がなされ、特定の単語について、それが持つ意味（時間、人物、場所等）が特定される。
【０００４】
次に、要約の対象となりうる複数の文書に対しても同様に形態素解析および意味解析がなされる。ここでは、文書単位が「改行単位」、「句点単位」などといった固定的な選択方法にしたがって要約ターゲット範囲、すなわち要約の候補となりうる範囲（以下、「候補範囲」と称する）が抽出される。そして、抽出された各候補範囲単位で、形態素解析および意味解析の結果が、質問文に対してなされた形態素解析および意味解析の結果と照合され、この照合の結果、一致度の高い候補範囲が、該質問文に対する要約として決定されている。
【特許文献１】特開２００３−２５６４２５
【発明の開示】
【発明が解決しようとする課題】
【０００５】
しかしながら、このような従来の文書要約作成方法では、以下のような問題がある。
【０００６】
すなわち、この方法では、候補範囲の選択方法が固定的である。つまり、「改行単位を一つの文書とみなす」といったような固定的な選択方法では、例えば、箇条書きのように、一つの意味単位毎に改行がなされている場合には、箇条書きによってまとめられた範囲全体を候補範囲として選択することができない。
【０００７】
一例として、以下に示すような対象文書から、「従来の要約方法とは？」という質問文に対する要約文を抽出する場合について考える。
【０００８】
（対象文書）
「従来の要約技術は、  ＜改行１＞
１．自然言語による質問文を形態素解析し、単語に分割する。また、意味解析により特定の単語によってはそれが持つ意味（時間、人物、場所）を特定する。  ＜改行２＞
２．要約対象文書群に対しても形態素解析、意味解析を行い、文書単位を「改行単位」、「句点単位」など固定的な選定手段で対象範囲と考え、各対象範囲単位で、質問文の形態素解析、意味解析結果と照らし合わせて、最も近い対象範囲を文書の要約と決定する。  ＜改行３＞
というものである。」  ＜改行４＞
上記した対象文書では、４つの改行があるが、各改行で区切られる範囲を１つの候補範囲とすることはないので、「従来の要約方法とは？」という質問文に対して、上記対象文書全体そのものが要約として適切であるにも関らず、それを要約として提示することはできない。
【０００９】
本発明はこのような事情に鑑みてなされたものであり、質問文に対する要約として抽出される候補範囲を任意に設定することが可能な文書要約作成システム、方法、及びプログラムを提供することを目的とする。
【課題を解決するための手段】
【００１０】
上記の目的を達成するために、本発明では、以下のような手段を講じる。
【００１１】
すなわち、本発明は、入力された検索条件に基づいて文書を検索し、入力された要約作成条件に基づいて、検索された文書から要約に相応しい範囲を抽出することによって前記文書の要約を作成する文書要約作成システム及び方法であり、入力された範囲設定条件に基づいて、検索された文書内において、要約として抽出される候補範囲を設定する。そして、要約に相応しい箇所を抽出する場合には、この設定された候補範囲の何れかから抽出する。ここで、範囲設定条件としては、例えば、検索する文書を限定する限定条件、および候補範囲の書式条件のうちの少なくとも何れかを含む。このような範囲設定条件は、対話型入力受付手段から入力されるようにしても良い。また、上述したシステム及び方法に係る本発明は、コンピュータに上記処理を実行させるためのプログラムとしても成立する。
【発明の効果】
【００１２】
上述したような手段を講じた本発明によれば、様々な表現スタイルの文書からも、要約として適切な箇所を抽出することができるようになる。また、範囲設定条件を設定することによって、検索対象の文書の絞り込みや、候補範囲のきめ細かな指定ができるようになる。これらによって、より精度の高い要約を作成することが可能となる。
【発明を実施するための最良の形態】
【００１３】
以下に、本発明を実施するための最良の形態について図面を参照しながら説明する。
【００１４】
図１は、本発明の実施の形態に係る文書要約作成方法を適用した文書要約作成システムの一例を示す機能ブロック図である。
【００１５】
すなわち、本発明の実施の形態に係る文書要約作成システム１０は、インターネット等の通信ネットワーク１２を介して互いに接続されたクライアント２０及びサーバ３０から構成されてなる。そして、サーバ３０は、クライアント２０から入力された検索条件に基づいて文書を検索し、また、クライアント２０から入力された範囲設定条件に基づいて設定された検索文書内における候補範囲から、クライアント２０から入力された要約作成条件に基づいて、要約に相応しい範囲を抽出することによって文書の要約を作成する。
【００１６】
クライアント２０は、通信ネットワーク１２を介してサーバ３０とのデータ授受を行う通信部２２と、図示しないキーボードやマウス等の入力ツールを備え、ユーザがこれらを用いて検索条件、要約作成条件、及び範囲設定条件等のデータを入力する入力部２４と、通信部２２が受信したサーバ３０からのデータや、入力部２４から入力された検索条件、要約作成条件、及び範囲設定条件等のデータを表示する例えばディスプレイからなる表示部２６とを備えている。入力部２４から検索条件、要約作成条件、及び範囲設定条件等のデータを入力する場合には、表示部２６から対話型式の入力画面を表示し、ユーザが、表示部２６から表示されたこの対話型式の入力画面にしたがってデータを入力することも可能としている。
【００１７】
図２は、要約作成条件、検索条件、及び範囲設定条件を入力部２４からまとめて入力するために表示部２６から表示される対話形式の入力画面４０の一例を示す概念図である。
【００１８】
すなわち、入力画面４０は、要約作成条件入力欄４２と、検索条件入力欄４４と、範囲設定条件入力欄４８とからなる。
【００１９】
要約作成条件入力欄４２は、適用チェック欄４３ａと、質問文入力欄４３ｂとがある。要約作成条件を設定する場合には、適用チェック欄４３ａをチェックし（図２では、レ点で示している）、質問文入力欄４３ｂに、要約作成のための自然言語からなる質問文を入力する。
【００２０】
検索条件入力欄４４は、検索対象とするデータベース名を特定する場合にチェックする適用チェック欄４５ａと、適用チェック欄４５ａがチェックされた場合に、データベース部３７に含まれる複数のデータベース３８（＃１，＃２，・・・＃ｎ）の中から、特定する検索対象のデータベース名を入力するためのデータベース名入力欄４５ｂと、検索する文書のソース（例えば、ＵＲＬ名）を指定する場合にチェックする適用チェック欄４６ａと、適用チェック欄４６ａがチェックされた場合に、ソース名を入力するためのソース名入力欄４６ｂと、キーワード、更新日付、ファイル型式等といった検索条件を指定する場合にチェックする適用チェック欄４７ａと、適用チェック欄４７ａがチェックされた場合に、検索条件を入力するための検索条件入力欄４７ｂとを備えている。
【００２１】
範囲設定条件入力欄４８は、文書内において、要約として抽出される候補範囲を設定する範囲設定条件を入力するための欄であり、ベース選択欄４９と、書式設定欄５０とを備えている。候補範囲を、改行を優先して指定する場合には、ベース選択欄４９における適用チェック欄４９ａをチェックし、句点を優先して指定する場合には、ベース選択欄４９における適用チェック欄４９ｂをチェックする。書式設定欄５０は、ベース選択欄４９にて指定した優先項目について、更に詳細な書式条件を設定する欄であって、書式条件として図中の５１ｂ，５２ｂ，・・・５８ｂに示すような具体的項目に対し、適用する項目については対応する適用チェック欄５１ａ，５２ａ，・・・５８ａをチェックする。適用チェック欄５３ａ，５７ａ，５８ａをチェックした場合には、更に、対応する文字数を文字数入力欄５３ｃに、対応する先頭からの行数を先頭行数入力欄５７ｃ、対応する後方からの行数を後方行数入力欄５８ｃにそれぞれ入力することによって、具体的数値を指定する。なお、図２に示す書式設定欄５０は、一例を示すものであって、更に別の項目を付加することによって、よりきめ細やかな範囲設定条件の入力を可能としても良い。
【００２２】
サーバ３０は、図２に示すような入力画面４０を利用して入力部２４から入力された検索条件、要約作成条件、及び範囲設定条件に基づいて文書の検索、及び検索した文書の要約の作成を行う部位であり、通信ネットワーク１２を介してクライアント２０とのデータ授受を行う通信部３１と、文書データを格納している一つ又は複数のデータベース３８（＃１，＃２，・・・＃ｎ）を備えているデータベース部３７と、クライアント２０から通信部３１に送られた検索条件、要約作成条件、及び範囲設定条件に基づいてデータベース部３７に備えられたデータベース３８（＃１，＃２，・・・＃ｎ）から文書を検索するとともに、検索した文書の要約を作成する検索エンジン３２とを備えている。
【００２３】
図３は、検索エンジン３２の詳細な機能構成例を示すブロック図である。検索エンジン３２は、文書検索部３３と、メモリ３４と、候補範囲設定部３５と、要約抽出部３６とを備えてなる。
【００２４】
文書検索部３３は、クライアント２０から通信部３１に検索条件、要約作成条件、及び範囲設定条件が送られると、そのうちの検索条件に基づいて、該当する文書を、データベース部３７に備えられた各データベース３８（＃１，＃２，・・・＃ｎ）から検索し、検索した文書を、メモリ３４に格納する。
【００２５】
候補範囲設定部３５は、文書検索部３３によってメモリ３４に格納された文書をメモリ３４から取得する。そして、この取得した文書に対して、クライアント２０から通信部３１に送られた検索条件、要約作成条件、及び範囲設定条件のうちの範囲設定条件に基づいて、要約として抽出される候補範囲を設定し、この取得した文書を、設定した候補範囲にしたがって区切る。そして、このように候補範囲で区切られた文書をメモリ３４に上書きして格納する。
【００２６】
要約抽出部３６は、クライアント２０から通信部３１に送られた検索条件、要約作成条件、及び範囲設定条件のうちの要約作成条件に基づいて、質問文入力欄４３ｂに入力された自然文からなる質問文について、公知技術である形態素解析および意味解析を行う。形態素解析および意味解析については公知技術であるので、その詳細についての説明は省略する。
【００２７】
更に、要約抽出部３６は、メモリ３４に格納された文書における各候補範囲に対しても、同様に形態素解析および意味解析を行う。そして、質問文について行った形態素解析および意味解析の結果と、各候補範囲について行った形態素解析および意味解析の結果とを照合し、この照合の結果、一致度の最も高い候補範囲を、要約に相応しい箇所として抽出し、抽出した候補範囲を通信部３１に出力する。
【００２８】
すると通信部３１は、通信ネットワーク１２を介して、要約抽出部３６によって抽出された候補範囲に相当するデータをクライアント２０に送信する。このデータは、クライアント２０の通信部２２によって受信され、更に表示部２６から表示されるようにしている。これを見ることによって、ユーザは、指定した質問文に対する要約を得る。
【００２９】
このような構成をなす本システム１０は、例えば磁気ディスク等の記憶媒体に記憶されたプログラムや、インターネット等のネットワークを介してダウンロードしたプログラムを読み込み、このプログラムによって動作が制御されるコンピュータによって実現される。
【００３０】
ここで記憶媒体としては、磁気ディスク、フロッピー（登録商標）ディスク、ハードディスク、光ディスク（ＣＤ−ＲＯＭ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【００３１】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が同実施の形態を実現するための各処理の一部を実行してもよい。
【００３２】
さらに、記憶媒体は、コンピュータと独立した媒体に限らず、ＬＡＮやインターネット等により伝送されたプログラムをダウンロードして記憶又は一時記憶した記憶媒体も含まれる。
【００３３】
また、記憶媒体は１つに限らず、複数の媒体から同実施の形態における処理が実行される場合もここでいう記憶媒体に含まれ、媒体構成は何らの構成であってもよい。
【００３４】
なお、ここでいうコンピュータは、記憶媒体に記憶されたプログラムに基づき、同実施の形態における各処理を実行するものであって、パソコン等の１つからなる装置、複数の装置がネットワーク接続されたシステム等の何れの構成であってもよい。また、このコンピュータとは、パソコンに限らず、情報処理機器に含まれる演算処理装置、マイコン等も含み、プログラムによって本発明の機能を実現することが可能な機器、装置を総称している。
【００３５】
次に、以上のように構成した同実施の形態に係る文書要約作成方法を適用した文書要約作成システム１０の動作について図４に示すフローチャートを用いて説明する。
【００３６】
ユーザは、同実施の形態に係る文書要約作成方法を適用した文書要約作成システム１０を用いて要約を作成する場合には、まず、入力部２４から要約作成条件、検索条件、及び範囲設定条件を入力する（Ｓ１）。
【００３７】
要約作成条件入力欄４２の適用チェック欄４３ａをチェックし、質問文入力欄４３ｂに自然言語からなる質問文（例えば、「情報が生産性に影響を与えるまでのプロセスとは？」）を入力することによって、要約作成条件が指定される。
【００３８】
また、検索条件入力欄４４の適用チェック欄４５ａ，４６ａ，４７ａのうちの所望の箇所をチェックし、チェックした箇所に該当する欄（４５ｂ，４６ｂ，４７ｂのうちの何れか）に必要なデータを入力することによって検索条件が指定される。例えば、適用チェック欄４５ａをチェックし、データベース名入力欄４５ｂに、検索対象とするデータベース名（例えば、データベース３８（＃１，＃２，・・・＃ｎ）のうちの何れか）を入力することによって、検索する文書が格納されているデータベース３８が指定される。また、適用チェック欄４６ａをチェックし、ソース名入力欄４６ｂに、ソース名（例えば、ＵＲＬ名）を入力することによって、検索する文書のソース（作成元）が指定される。更に、適用チェック欄４７ａをチェックし、検索条件入力欄４７ｂに例えば、キーワード、更新日付、ファイル型式等を入力することによって、検索条件が指定される。
【００３９】
更に、範囲設定条件入力欄４８では、ベース選択欄４９において、適用チェック欄４９ａか、適用チェック欄４９ｂかの何れか一方をチェックすることによって、要約として抽出される候補範囲の設定条件として改行を優先するか、句点を優先するかが指定される。改行を優先した場合には、改行毎に候補範囲が設定される。この場合、箇条書きにおける各行がそれぞれ改行されている場合には、箇条書きにおける各行がそれぞれ候補範囲として設定される。一方、句点を優先した場合には、一文毎に候補範囲が設定される。この場合、箇条書きにおける各行がそれぞれ改行されていても、句点から句点までの範囲が候補範囲として設定されることから、箇条書き全体を一つの候補範囲として設定することができる。次に、書式設定欄５０に設けられた適用チェック欄５１ａ，５２ａ，・・・５８ａのうち、所望の箇所をチェックし、適用チェック欄５３ａ，５７ａ，５８ａをチェックした場合には更に、対応する文字数を文字数入力欄５３ｃに、対応する先頭からの行数を先頭行数入力欄５７ｃ、対応する後方からの行数を後方行数入力欄５８ｃにそれぞれ入力することによって、候補範囲の詳細な範囲設定条件が指定される。
【００４０】
このような条件入力を行う場合、ユーザは、表示部２６から表示される図２にその一例を示すような対話型式の入力画面４０を参照しながら、所望の入力を行うことによって実施することができる。
【００４１】
このようにして入力部２４から入力された条件は、入力部２４から通信部２２に送られ、通信部２２から通信ネットワーク１２を経由してサーバ３０の通信部３１へ送信され、更に通信部３１から検索エンジン３２へと送られる（Ｓ２）。
【００４２】
検索エンジン３２では、まず文書検索部３３において、クライアント２０から送信された要約作成条件、検索条件、及び範囲設定条件のうちの検索条件に基づいて、該当する文書が、指定されたデータベース３８から検索される（Ｓ３）。例えば、検索条件として、データベース名入力欄４５ｂに「データベース３８（＃１）」、ソース名入力欄４６ｂに「nippon.com」、検索条件入力欄４７ｂに「科学技術」が入力されている場合には、データベース３８（＃１）に格納されており、「nippon.com」によって作成され、「科学技術」というキーワードを含む文書が検索される。この検索された文書は、メモリ３４に格納される。図５は、このようにして検索された文書の一例を示すものである。
【００４３】
そして、候補範囲設定部３５では、文書検索部３３によってメモリ３４に格納された文書において、クライアント２０から通信部３１に送られた検索条件、要約作成条件、及び範囲設定条件のうちの範囲設定条件に基づいて、要約として抽出される候補範囲が設定される（Ｓ４）。例えば、ベース選択欄４９において、適用チェック欄４９ａがチェックされた場合には、図６に示すように、メモリ３４に格納された文書において、改行間の各範囲が候補範囲Ｋ（＃１〜＃８）とされる。一方、適用チェック欄４９ｂがチェックされた場合には、図７に示すように、メモリ３４に格納された文書において、各文が候補範囲Ｇ（＃１〜＃７）とされる。また、更に詳細な範囲設定条件は、書式設定欄５０にて設定された内容にしたがう。そして、このように候補範囲で区切られた文書がメモリ３４に上書きして格納される。
【００４４】
要約抽出部３６では、クライアント２０から通信部３１に送られた検索条件、要約作成条件、及び範囲設定条件のうちの要約作成条件に基づいて、質問文入力欄４３ｂに入力された自然言語からなる質問文について、形態素解析および意味解析が行われる（Ｓ５）。例えば、質問文入力欄４３ｂに「情報が生産性に影響を与えるまでのプロセスとは？」なる質問文が入力された場合、形態素解析によってこの質問文から、“情報”、“生産性”、“影響”、“与える”、“プロセス”といった単語が抽出される。更に、抽出された各単語に対し、このシステム１０が備えた図示しない辞書データと比較することによって、各単語が持つ意味が特定される。例えば“２００４年”、“東京太郎”、“八王子”という単語が抽出された場合には、これらの単語が辞書データと比較されることによって、“２００４年”は時間、“東京太郎”は人物、“八王子”は場所であると特定される。
【００４５】
更に、要約抽出部３６では、メモリ３４に格納された文書における各候補範囲に対しても、同様に形態素解析および意味解析が行われる（Ｓ６）。そして、質問文について行った形態素解析および意味解析の結果と、各候補範囲について行った形態素解析および意味解析の結果とが照合される（Ｓ７）。
【００４６】
このような照合が、全ての候補範囲を対象に行われる（Ｓ８）。そして、照合の結果、形態素解析および意味解析の結果が、質問文と一致する候補範囲がない場合（Ｓ９：Ｎｏ）には、要約に該当する候補範囲はないものと判定され、要約は作成されない（Ｓ１１）。一方、質問文と一致する候補範囲がある場合（Ｓ９：Ｙｅｓ）には、その中から一致度の最も高い候補範囲が、要約として抽出される（Ｓ１０）。
【００４７】
この抽出された候補範囲は、要約抽出部３６から通信部３１へと出力され、更に通信部３１から、通信ネットワーク１２を介して、クライアント２０に送信される。このデータは、クライアント２０の通信部２２によって受信され、更に表示部２６から表示される。これを見ることによって、ユーザは、指定した質問文に対する要約を得ることができる。図８は、このようにして得られた要約の一例を示すものである。これは、図７に示すように設定された候補範囲Ｇ（＃１〜＃７）における候補範囲Ｇ（＃５）である。候補範囲Ｇ（＃５）には、“情報”、“生産性”、“影響”、“与える”といった単語が含まれており、質問文「“情報”が“生産性”に“影響”を“与える”までのプロセスとは？」との一致度が最も高くなっていることから要約として抽出されている。
【００４８】
上述したように、同実施の形態に係る文書要約作成方法を適用した文書要約作成システムにおいては、上記のような作用により、要約として抽出される候補範囲を任意に設定することができる。その結果、様々な表現スタイルの文書からも、要約として適切な箇所を抽出することができるようになる。また、範囲設定条件を設定することによって、検索対象の文書の絞り込みや、候補範囲のきめ細かな指定ができる。これらによって、より精度良く要約を作成することが可能となる。
【００４９】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００５０】
【図１】本発明の実施の形態に係る文書要約作成方法を適用した文書要約作成システムの一例を示す機能ブロック図。
【図２】要約作成条件、検索条件、及び範囲設定条件を入力するための対話形式の入力画面の一例を示す概念図。
【図３】検索エンジンの詳細な機能構成例を示すブロック図。
【図４】同実施の形態に係る文書要約作成方法を適用した文書要約作成システムの動作を示すフローチャート。
【図５】文書検索部によって検索された文書の一例を示す図。
【図６】候補範囲が設定された文書の一例を示す図。
【図７】候補範囲が設定された文書の別の例を示す図。
【図８】要約抽出部によって抽出された要約の一例を示す図。
【符号の説明】
【００５１】
１０…文書要約作成システム、１２…通信ネットワーク、２０…クライアント、２２…通信部、２４…入力部、２６…表示部、３０…サーバ、３１…通信部、３２…検索エンジン、３３…文書検索部、３４…メモリ、３５…候補範囲設定部、３６…要約抽出部、３７…データベース部、３８…データベース、４０…入力画面、４２…要約作成条件入力欄、４４…検索条件入力欄、４８…範囲設定条件入力欄、４９…ベース選択欄、５０…書式設定欄
【図１】
2006099428.tif 000003
【図２】
2006099428.tif 000004
【図３】
2006099428.tif 000005
【図４】
2006099428.tif 000006
【図５】
2006099428.tif 000007
【図６】
2006099428.tif 000008
【図７】
2006099428.tif 000009
【図８】
2006099428.tif 000010